(57)【要約】【課題】  電子機器又は画像形成装置において、リモートに電源遮断ができないという問題点があった。【解決手段】  電子機器又は画像形成装置においてリモートで電源遮断が出来ないという問題点をＰＣ（Personal Computer）等の外部装置から電源遮断命令を受信する通信部と、前記通信部が受信した信号が遮断命令であるかどうかを解析するデータ解析部と、前記データ解析部の結果に基づき電源を遮断可能な電源制御部とを設けることにより解決した。【選択図】図１
2009208399.tif 000002
【特許請求の範囲】
【請求項１】
外部装置とのあいだでの通信を可能とする通信部と、
前記通信部を通して前記外部装置から受信した制御信号が電源遮断命令であるかどうかを判断するデータ解析部と、
前記電源遮断命令と稼動状態に基づいて選択的に電源を遮断する電源制御部と、を有する
ことを特徴とする電子機器。
【請求項２】
請求項１の電子機器であって、
前記電子機器の使用状態を検知する使用状態検知部と、
前記電子機器の使用を行っているユーザを検知可能なユーザ検知部と、のうちの少なくとも一方を有し、
前記稼動状態は、前記使用状態検知部が検知した電子機器の使用状態と、前記ユーザ検知部が検知したユーザによる使用状態と、のうちの少なくとも一方である
ことを特徴とする電子機器。
【請求項３】
請求項１または２の電子機器と、
印刷データを印刷処理可能なデータに変換する画像変換部と、
前記画像変換部で変換された前記データを印刷する印刷部と、を有し
前記使用状態検知部は、前記画像変換部と前記印刷部の使用状態を検知する
ことを特徴とする画像形成装置。
【請求項４】
請求項３の画像形成装置であって、
前記ユーザ検知部は、前記印刷データのジョブの実行ユーザを検知する
ことを特徴とする画像形成装置。
【発明の詳細な説明】
【技術分野】
【０００１】
電子機器又は画像形成装置において、リモートに電源を遮断可能とする技術に関する。
【背景技術】
【０００２】
電子機器においては消費電力の抑制が技術的な課題となっている。電子機器のひとつである画像形成装置においては、装置の使用が一定時間無かった場合や、使用頻度が著しく低いと思われる深夜の時間帯などでは、例えば定着器のプレヒート機能を遮断したり、ＣＰＵへの電力を遮断したりして、印刷などを行うまでには時間がかかり不便であるが電力の消費を抑えることが可能な、スリープモードや省エネモードと呼ばれる電力消費抑制の手段が備わっている。
【０００３】
しかし、スリープモードや省エネモードなどでもＦＡＸの受信や、ネットワーク印刷の割り込み等に対応できるように一部の機能部では電力が消費されており、完全に消費電力をゼロにできるというわけではない。
【０００４】
従来技術の省電力技術として、例えば画像形成装置の時刻毎にスリープ移行時間（スリープモードに移行するまでの画像形成装置の未使用状態の経過期間の閾値）の設定を可能とする方法（特許文献１参照）や、ネットワークシステム上にある機器の使用頻度に応じて、端末機器のそれぞれのスリープ移行時間を決定する方法（特許文献２参照）などがあった。しかし、これらの技術では前記したように画像形成装置の消費電力をゼロにすることは不可能である。
【０００５】
又、テレビジョン装置において、視聴中のテレビ放送について、その放送の有無を上記テレビ放送に含まれる水平用の同期信号の有無によって検出して、放送が終了した場合には、テレビジョン装置の電源をオフにする方法（特許文献３参照）があった。
【０００６】
しかし、テレビジョン装置以外の電子機器においては、同様の水平同期信号等はないため、それらの電子機器について該水平同期信号に合わせて電源を遮断することは不可能であった。
【特許文献１】特開２００２−０７７４７８号公報
【特許文献２】特開２００２−０９９４００号公報
【特許文献３】特開２００６−１２８８６７号公報
【発明の開示】
【発明が解決しようとする課題】
【０００７】
解決しようとする問題点は、電子機器において使用がないと思われるときには、機器本体の電源スイッチをオフにしたり電源を遮断したりすることなしに電子機器の電源をオフにして消費電力をゼロにすることができなかった点である。
【課題を解決するための手段】
【０００８】
本発明の電子機器は、外部装置とのあいだでの通信を可能とする通信部と、前記通信部を通して前記外部装置から受信した制御信号が電源遮断命令であるかどうかを判断するデータ解析部と、前記電源遮断命令と稼動状態に基づいて選択的に電源を遮断する電源制御部と、を有することを最も主要な特徴とする。
【０００９】
本発明の電子機器は、請求項１の電子機器であって、前記電子機器の使用状態を検知する使用状態検知部と、前記電子機器の使用を行っているユーザを検知可能なユーザ検知部と、のうちの少なくとも一方を有し、前記稼動状態は、前記使用状態検知部が検知した電子機器の使用状態と、前記ユーザ検知部が検知したユーザによる使用状態と、のうちの少なくとも一方であることを主要な特徴とする。
【００１０】
本発明の画像形成装置は、請求項１または２の電子機器と、印刷データを印刷処理可能なデータに変換する画像変換部と、前記画像変換部で変換された前記データを印刷する印刷部と、を有し、前記使用状態検知部は、前記画像変換部と前記印刷部の使用状態を検知することを主要な特徴とする。
【００１１】
本発明の画像形成装置は、請求項３の画像形成装置であって、前記ユーザ検知部は、前記印刷データのジョブの実行ユーザを検知することを主要な特徴とする。
【発明の効果】
【００１２】
本発明の電子機器は、外部装置とのあいだでの通信を可能とする通信部と、前記通信部を通して前記外部装置から受信した制御信号が電源遮断命令であるかどうかを判断するデータ解析部と、前記電源遮断命令と稼動状態に基づいて選択的に電源を遮断する電源制御部と、を有することを最も主要な特徴とするため、機器本体の電源スイッチをオフにしたり電源を遮断したりすることなしに電子機器の電源をオフにして消費電力をゼロにすることが可能となった。
【００１３】
本発明の電子機器は、請求項１の電子機器であって、前記電子機器の使用状態を検知する使用状態検知部と、前記電子機器の使用を行っているユーザを検知可能なユーザ検知部と、のうちの少なくとも一方を有し、前記稼動状態は、前記使用状態検知部が検知した電子機器の使用状態と、前記ユーザ検知部が検知したユーザによる使用状態と、のうちの少なくとも一方であることを主要な特徴とするため、電子機器の使用状態によっては、又は電子機器を使用しているユーザによっては電源遮断命令を受信しても電源を遮断しないことが可能となり、電子機器が動作中に突然遮断するなどの問題が発生しないこととなった。
【００１４】
本発明の画像形成装置は、請求項１または２の電子機器と、印刷データを印刷処理可能なデータに変換する画像変換部と、前記画像変換部で変換された前記データを印刷する印刷部と、を有し、前記使用状態検知部は、前記画像変換部と前記印刷部の使用状態を検知することを主要な特徴とするため、画像形成装置において、印刷ジョブが実行されている際には、電源遮断命令を受信しても拒否して、引き続き印刷ジョブの完了まで継続させることが可能となり、不慮の電源遮断による装置内の紙詰まりなどの問題の発生を回避することが可能となった。
【００１５】
本発明の画像形成装置は、請求項３の画像形成装置であって、前記ユーザ検知部は、前記印刷データのジョブの実行ユーザを検知することを主要な特徴とするため、ジョブを実行させているユーザが管理者等の場合には、電源遮断命令を受信しても拒否することが可能となり、管理者による電源遮断拒否の制御が可能となった。
【発明を実施するための最良の形態】
【００１６】
電子機器又は画像形成装置においてリモートで電源遮断が出来ないという問題点を解決するために、ＰＣ（Personal Computer）等の外部装置から電源遮断命令を受信する通信部と、前記通信部が受信した信号が遮断命令であるかどうかを解析するデータ解析部と、前記データ解析部の結果と電子機器又は画像形成装置の稼動状態に基づき電源を遮断可能な電源制御部とを設けることにより実現した。
【実施例】
【００１７】
本発明の電子機器の実施例としての画像形成装置について以下に説明する。
【００１８】
［構成］
図１は、本発明の実施例の画像形成装置１０１及びその電源制御を行うＰＣ（Personal Computer）２０１の機能ブロック図である。
【００１９】
画像形成装置１０１は、操作パネル１１１、データ解析部１１３、通信部１１５、主電源１１７、電源制御部１１９、画像処理部１２１、印刷部１２３、使用状態検知部１２５、ユーザ検知部１２７の各機能部を有する。
【００２０】
ＰＣ（Personal Computer）２０１は、アプリケーション２１１、ユーザインタフェース部２１３、通信部２１５の各機能部を有する。
【００２１】
まず画像形成装置１０１の各機能ブロックについて説明する。
【００２２】
操作パネル１１１は、液晶パネル等の表示装置と同表示装置に重畳されたタッチパネル及び入力キー等を有し、ユーザからの操作入力を受付、画像形成装置の状態を表示するための機能部である。ユーザは、本操作パネルからジョブの実行を指示可能である。
【００２３】
通信部１１５は、画像形成装置１０１をＰＣ（Personal Computer）２０１と接続するためのインタフェース部である。画像形成装置１０１は、通信部１１５を通してＰＣ２０１からジョブを受信する。又、ＰＣ２０１から電源遮断の命令を同通信部１１５を介して受信する。
【００２４】
データ解析部１１３は、ＰＣ２０１から送信され、前記通信部１１５により受信したデータを解析する。受信したデータが印刷ジョブデータであれば、同ジョブの命令に従って印刷を行う。又、電源遮断命令であれば、後述の電源制御部１１９に命令を渡して、電源制御部１１９が電源遮断を行うかどうかを判断する。
【００２５】
主電源１１７は、画像形成装置１０１全体に電源を供給する電源部である。主電源１１７は、電源制御部１１９により制御されて電源の遮断を行う。
【００２６】
電源制御部１１９は、ＰＣ２０１からの電源遮断命令を受けて、使用状態検知部１２５が検知した機器の使用状態及びユーザ検知部１２７が検知した実行中のジョブのユーザに基づいて電源の遮断が可能と判断したときは、主電源１１７を制御して画像形成装置１０１の電源を遮断する。電源の遮断は、即時に遮断する以外に、指定時刻又は所定の時間経過後に遮断する方法や、現在実行中のジョブの終了後に遮断するなどの指定が可能である。
【００２７】
画像処理部１２１は、実行ジョブの印刷データを印刷部１２３で印刷可能なデータ形式に変換する。
【００２８】
印刷部１２３は、前記画像処理部１２１で変換された印刷可能なデータを印刷する。
【００２９】
使用状態検知部１２５は、ジョブの実行による前記画像処理部１２１と前記印刷部１２３との使用状態を検知して、前記電源制御部１１９に通知し、画像処理部１２１と印刷部１２３での実行中のジョブがあれば、電源制御部１１９は即時の電源遮断を拒否する。また、これらのジョブの実行終了後は電源遮断が可能である旨、通信部１１５を通して電源遮断命令を出したＰＣ２０１に対して通知する。
【００３０】
ユーザ検知部１２７は、実行中のジョブのユーザを検知して、電源制御部１１９に通知する。実行ジョブが管理者等の特権ユーザであれば、電源制御部１１９は、電源遮断が不可能と判断し、通信部１１５を通して電源遮断命令を出したＰＣ２０１に対して通知する。
【００３１】
ＰＣ（Personal Computer）２０１は、外部装置であり、画像形成装置１０１に対してジョブの実行を指示可能である。又、アプリケーション２１１を用いて電源遮断命令を指示する。
【００３２】
アプリケーション２１１は、電源遮断命令用のアプリケーションであり、ネットワーク中に接続されている画像形成装置を検索して、検索された画像形成装置に対して電源遮断命令を発する。画像形成装置は受信した電源遮断命令に対して、現在の装置の使用状況等から、即時の電源遮断が可能か、実行ジョブ終了後に電源遮断が可能か、電源遮断は不可能かを回答する。回答を受信したアプリケーションは操作画面にその旨表示し、ユーザの指示の入力を待ち、入力された指示に従って画像形成装置に対して命令を発信する。
【００３３】
ユーザインタフェース部２１３は、アプリケーション２１１のユーザインタフェース画面部で、検索した画像形成装置のリストを表示したり電源遮断命令指示画面を表示したり、画像形成装置からの電源遮断命令に対する回答を表示したりする。
【００３４】
通信部２１５は、画像形成装置の通信部１１５と同様に、画像形成装置１０１をＰＣ（Personal Computer）２０１と接続するためのインタフェース部である。
【００３５】
［フローチャート］
図２のフローチャートを用いて動作の流れについて説明する。
【００３６】
ＰＣ２０１において、電源遮断命令を行うアプリケーション２１１の起動により図２のフローチャートは開始する。
【００３７】
Ｓ１１：アプリケーション２１１は、ネットワーク又はローカルに接続された画像形成装置を検索する。
【００３８】
Ｓ１３：アプリケーションは、検索された画像形成装置の中から自分が電源遮断命令を行う装置を選定し、その設定画面を開く。電源遮断命令は、即時の電源遮断命令であっても良いし、指定時刻の電源遮断又は指定経過時間後に電源遮断との指定の命令であっても良い。
【００３９】
Ｓ１５：ユーザが電源遮断命令の設定を行う場合は、動作をＳ１７に移行する。電源遮断命令を行わない場合は動作を終了する。
【００４０】
Ｓ１７：アプリケーション２１１は電源遮断命令を画像形成装置１０１に対して送信する。
【００４１】
Ｓ１９：画像形成装置１０１は、Ｓ１７の電源遮断命令を受信し、使用状態検知部１２５が画像処理部１２１及び印刷部１２３でのジョブの実行状態を検知し、又、ユーザ検知部１２７が実行ジョブ中に管理者等の特権ユーザが起動したジョブが無いかどうかを検知する。電源制御部１１９は、これらの結果から電源遮断不可能か、電源遮断が即時可能か、ジョブ実行終了後に可能か（条件付可能）を判断する。不可能と判断した場合はＳ２１に動作を移行する。即時可能と判断した場合はＳ２３に動作を移行する。条件付可能の場合は動作をＳ２５に移行する。
【００４２】
Ｓ２１：画像形成装置１０１の電源制御部１１９は、ＰＣ２０１のアプリケーション２１１に対して電源遮断は不可能と回答する。電源遮断は不可能であったのでこれで動作を終了する。
【００４３】
Ｓ２３：画像形成装置１０１の電源制御部１１９は、ＰＣ２０１のアプリケーション２１１に対して電源遮断は即時可能と回答する。
【００４４】
Ｓ２５：画像形成装置１０１の電源制御部１１９は、ＰＣ２０１のアプリケーション２１１に対して電源遮断は条件付で可能と回答する（実行中のジョブが全て完了後等の条件付）。
【００４５】
Ｓ２７：ＰＣ２０１側では、画像形成装置１０１からの条件付可能の回答を受けて、その旨受け入れるかどうかをユーザが入力して指示する。条件を受け入れる場合は、動作をＳ２９に移行する。条件を受け入れない場合は、電源遮断は不可能として動作を終了する。
【００４６】
Ｓ２９：Ｓ２３又はＳ２５のＰＣ２０１側の回答に基づいて、画像形成装置１０の電源制御部１１９は、即時、又は指定時刻の電源遮断又は指定経過時間後、又は実行中ジョブの完了後に電源遮断を行う。
【００４７】
以上の一連の動作により、ＰＣ２０１からのリモート操作で画像形成装置１０１の電源遮断を行うことが可能となった。
【００４８】
［実施例の効果］
本発明実施例の画像形成装置により、以下のことが可能となった。
【００４９】
従来の画像形成装置では、省電力モードやスリープモードを採用することで省電力化を行うことが可能であったが、本方式では、さらにリモートで画像形成装置の電源を遮断可能となり、画像形成装置のそばにいなくとも画像形成装置の不使用時等の電力の消費を大きく抑制することが可能となった。
【００５０】
［その他］
本発明実施例のフローチャートの説明においては、電源遮断命令はＰＣ２０１から行ったが、これと同様の電源遮断命令は画像形成装置の操作パネル１１１からも行うことが可能である。
【図面の簡単な説明】
【００５１】
【図１】本発明実施例の画像形成装置の機能ブロック図である。
【図２】本発明実施例の画像形成装置のフローチャートである。
【符号の説明】
【００５２】
１０１  画像形成装置
１１１  操作パネル
１１３  データ解析部
１１５  通信部
１１７  主電源
１１９  電源制御部
１２１  画像処理部
１２３  印刷部
１２５  使用状態検知部
１２７  ユーザ検知部
２０１  ＰＣ（Personal Computer）
２１１  アプリケーション
２１３  ユーザインタフェース部
２１５  通信部
【図１】
2009208399.tif 000003
【図２】
2009208399.tif 000004